(57)【要約】      （修正有）【課題】耐切創性および耐火性を備え、且つ、踏み抜き防止機能および刺し抜き防止機能を備えつつ歩行や走行を阻害しないレスキュー靴を提供する。【解決手段】レスキュー靴１であって、靴紐等の締結具と靴本体１０における少なくとも表装面とを耐切創性と耐火性を併せ持つ繊維素材により成形すると共に、靴底２０の内部に踏み抜き防止板３１を配し、且つ、土踏まず部分における靴本体１０の内部に該踏み抜き防止板３１とは分離した刺し抜き防止板３２を配した構成となっている。【選択図】図１
0003196824.tif 000002
【実用新案登録請求の範囲】
【請求項１】
靴紐等の締結具と靴本体における少なくとも表装面とを耐切創性と耐火性を併せ持つ繊維素材により成形すると共に、靴底の内部に踏み抜き防止板を配し、且つ、土踏まず部分における靴本体の内部に該踏み抜き防止板とは分離した刺し抜き防止板を配したことを特徴とするレスキュー靴。
【請求項２】
前記繊維素材が、耐火性アラミド繊維、パラミド繊維、ポリアリレート繊維、ＰＢＯ繊維、炭素繊維、フッ素繊維、ガラス繊維、耐火性セラミック繊維のうち選択される何れか一乃至複数の繊維から成ることを特徴とする請求項１に記載のレスキュー靴。
【請求項３】
前記踏み抜き防止板および刺し抜き防止板が、ステンレス、鉄、アルミニウム、ＦＲＰのうち選択される何れか一から成ることを特徴とする請求項１または請求項２に記載のレスキュー靴。
【請求項４】
前記刺し抜き防止板が、複数の板片に分割され且つ該分割された板片が互いに隙間なく配され若しくは一部重なり合う状態で配されて成ることを特徴とする請求項１乃至請求項３のいずれか記載のレスキュー靴。
【考案の詳細な説明】
【技術分野】
【０００１】
本考案は、自衛隊・消防・警察等がレスキュー活動時などにおいて使用するレスキュー靴に関し、詳しくは、耐切創性および耐火性を備え、且つ、刺し抜き防止機能を備えたレスキュー靴に関するものである。
【背景技術】
【０００２】
自衛隊や消防、警察等におけるレスキュー活動時などで使用されるレスキュー靴には、耐切創性や耐火性、踏み抜き防止性や刺し抜き防止性が求められる。しかしながら、従来から使用されているレスキュー靴は、靴本体の材料として革や合成皮革等が使用されており、耐火性が充分に確保されたものではなく、特に靴紐はナイロン製のものが使用されており、実際の活動時には靴紐の切断や焼失の可能性があった。
【０００３】
また、従来のレスキュー靴における踏み抜き防止板はＪＩＳ規格Ｔ８１０１等で規定されている。しかしながら、かかる規格では靴底部分からはみ出している土踏まず部分の安全は確保されず、すなわち刺し抜き防止性に問題があった。かかる刺し抜き防止性の問題を解決すべく、土踏まず部分まで靴底を大きくしてしまうと、通常の歩行は困難になって防災活動の妨げとなってしまう。また、土踏まず部分に踏み抜き防止板と一体化した刺し抜き防止板を設ける態様も考え得るが、靴自体の柔軟性を損ない、同様に通常の歩行は困難になって防災活動の妨げとなってしまう。
【０００４】
ところで、従来における踏み抜き防止靴として、特開平０８−３２２６０５号公報（特許文献１）で示されているような、踏み抜き防止板を使用した「靴底とこれを用いた安全靴」の技術提案がなされている。該特許文献１の具体的な技術内容は、踏み抜き保護装置を靴底の輪郭に合わせた形状で設けると共に、土踏まず部分において上方に折り曲げられた拡張部を有するものである。
【０００５】
かかる特許文献１記載の技術提案によれば、土踏まず部分が踏み抜き保護装置で保護されることで、刺し抜き防止性について確保されることとなるが、土踏まず部分において上方に折り曲げられた拡張部が踏み抜き保護装置と一体であるため、歩行や走行に際し、着地時に足底部の広がりや湾曲が発生し、歩行の障害になると共に、湾曲時には安全性の確保が不十分となる、といった欠点があった。
【先行技術文献】
【特許文献】
【０００６】
【特許文献１】特開平１０−２５２１３０号公報
【考案の開示】
【考案が解決しようとする課題】
【０００７】
そこで本考案は、上記問題点に鑑み、耐切創性および耐火性を備え、且つ、踏み抜き防止機能および刺し抜き防止機能を備えつつ歩行や走行を阻害しないレスキュー靴を提供することを課題とするものである。
【課題を解決するための手段】
【０００８】
上記課題を解決するため、本考案にかかるレスキュー靴は、靴紐等の締結具と靴本体における少なくとも表装面とを耐切創性と耐火性を併せ持つ繊維素材により成形すると共に、靴底の内部に踏み抜き防止板を配し、且つ、土踏まず部分における靴本体の内部に該踏み抜き防止板とは分離した刺し抜き防止板を配した構成を採用する。
【０００９】
また、本考案にかかるレスキュー靴は、前記繊維素材が、耐火性アラミド繊維、パラミド繊維、ポリアリレート繊維、ＰＢＯ繊維、炭素繊維、フッ素繊維、ガラス繊維、耐火性セラミック繊維のうち選択される何れか一乃至複数の繊維から成る構成を採用し得る。
【００１０】
さらに、本考案にかかるレスキュー靴は、前記踏み抜き防止板および刺し抜き防止板が、ステンレス、鉄、アルミニウム、ＦＲＰのうち選択される何れか一から成る構成を採用することもできる。
【００１１】
またさらに、本考案にかかるレスキュー靴は、前記刺し抜き防止板が、複数の板片に分割され且つ該分割された板片が互いに隙間なく配され若しくは一部重なり合う状態で配されて成る構成とすることも可能である。
【考案の効果】
【００１２】
本考案にかかるレスキュー靴によれば、靴紐等の締結具と靴本体における少なくとも表装面の両方に耐切創性および耐火性を持たせたことで、靴紐の切断や焼失の可能性を無くして、靴全体として充分な耐火性を確保することができる、といった従来にない優れた効果を奏する。
【００１３】
また、本考案にかかるレスキュー靴によれば、靴底の内部に踏み抜き防止板を配すると共に、土踏まず部分における靴本体の内部に該踏み抜き防止板とは分離した刺し抜き防止板を配することで、土踏まず部分の刺し抜きや踏み抜きを防止可能であることはもちろんのこと、靴本来の柔軟性が確保されて歩行や走行を阻害することなく、活動の障害を回避することが可能である、といった優れた効果を奏する。
【図面の簡単な説明】
【００１４】
【図１】本考案にかかるレスキュー靴の実施形態を示す全体図である。
【図２】本考案にかかるレスキュー靴の実施形態を示す要部断面図である。
【図３】本考案にかかるレスキュー靴の実施形態を示す説明図である。
【図４】本考案にかかるレスキュー靴の実施形態を示す説明図である。
【図５】本考案にかかるレスキュー靴の使用態様を示す要部説明図である。
【図６】従来例を示す説明図である。
【考案を実施するための形態】
【００１５】
本考案は、レスキュー靴１における靴紐等の締結具と靴本体１０における少なくとも表装面１０ａとを耐切創性と耐火性を併せ持つ繊維素材により成形すると共に、靴底２０の内部に踏み抜き防止板３１を配し、且つ、土踏まず部分における靴本体１０の内部に該踏み抜き防止板３１とは分離した刺し抜き防止板３２を配したことを最大の特徴とする。以下、本考案にかかるレスキュー靴１の実施形態を、図面に基づき説明する。
【００１６】
なお、本考案は、下記の実施形態に示した構成・態様に限定されるものではなく、本考案の技術的思想の要旨に逸脱しない範囲で、任意に変更することができるものである。
【００１７】
図１は、本考案にかかるレスキュー靴１の実施形態を示す全体図である。
すなわち、本考案にかかるレスキュー靴１は、靴本体１０と靴底２０から構成されるもので、靴本体１０の甲面には靴紐等の締結具を備えて成る。
【００１８】
尚、本考案にかかるレスキュー靴１の全体形状について、図面では丈が長尺のブーツ型のものを示しているが、短尺丈のシューズ型のものであっても構わない。
また、締結具については、詳しく図示されていないが、例えば靴紐や各種ファスナー等が考え得る。
【００１９】
締結具および靴本体１０における少なくとも表装面１０ａは、耐切創性と耐火性を併せ持つ繊維素材により成形されている。このとき、靴本体１０の内装面１０ｂについても、表装面１０ａと同様、耐切創性と耐火性を併せ持つ繊維素材により成形する態様も可能である。
【００２０】
前記繊維素材については、耐切創性と耐火性を併せ持つものであれば特に限定されるものではないが、例えば耐火性アラミド繊維やパラミド繊維、ポリアリレート繊維、ＰＢＯ繊維、炭素繊維、フッ素繊維、ガラス繊維、耐火性セラミック繊維などが考えられ、これら繊維素材のうち選択される何れか一の素材あるいは複数素材の組み合わせから成る。
【００２１】
靴底２０には、踏み抜き防止板３１が配されている。該踏み抜き防止板３１は、被災地におけるレスキュー活動等において瓦礫などの上を歩いた際に、棘や釘などを踏んで突き刺さることのないようにするもので、靴底２０全体に亘ってその内部（インナーソール部）に配されている。該踏み抜き防止板３１は、その機能上、例えばステンレスや鉄、アルミニウム、ＦＲＰなどにより成形される。
【００２２】
靴本体１０における土踏まず部分には、刺し抜き防止板３２が配されている。該刺し抜き防止板３２は、前記踏み抜き防止板３１と同様、棘や釘などを踏んで突き刺さることのないようにするもので、靴本体１０における土踏まず部分の内部に配されている。また、該刺し抜き防止板３２は、その機能上、前記踏み抜き防止板３１と同様に、例えばステンレスや鉄、アルミニウム、ＦＲＰなどにより成形される。
【００２３】
図２は、本考案にかかる靴本体１０の土踏まず部分を示す要部断面図である。
図面に示すように、前記刺し抜き防止板３２は、靴本体１０の表装面１０ａと内装面１０ｂとの間に配される。
【００２４】
図３は、本考案にかかる刺し抜き防止板３２の配置態様を示す説明図であり、（ａ）は靴底２０から見た底面図、（ｂ）は刺し抜き防止板３２全体を示す正面図である。
図面に示すように、踏み抜き防止板３１と刺し抜き防止板３２とは、分離した構造となっている。従来は、図６に示すように、踏み抜き防止板３１と刺し抜き防止板３２とが一体的に成形されていたため、靴本来の柔軟性に欠け、歩行や走行に際し、着地時に足底部の広がりや湾曲が発生し、歩行の障害になると共に、湾曲時には安全性の確保が不十分となる、といった欠点があった。本考案では、踏み抜き防止板３１と刺し抜き防止板３２とを分離した構成を採用することで、靴本来の柔軟性が確保されて歩行や走行を阻害することなく、活動の障害を回避することが可能となる。
【００２５】
図４は、本考案にかかる刺し抜き防止板３２の別の配置態様を示す説明図であり、（ａ）は靴底２０から見た底面図、（ｂ）は刺し抜き防止板３２全体を示す正面図、（ｃ）は刺し抜き防止板３２の側面図である。
図面に示すように、本考案にかかる刺し抜き防止板３２について、複数の板片３２ａに分割した構成態様を採用することが可能である。かかる構成態様を採用した場合、分割された板片３２ａは、靴本体１０の土踏まず部分の内部において、互いに隙間なく配されるか、あるいは、図３（ｃ）に示すように互いが一部重なり合う状態で配される構造を採る。このように、刺し抜き防止板３２を複数の板片３２ａに分割して配することで、靴本来の柔軟性がより確保されるため、レスキュー活動等に資することとなる。
【００２６】
以上の通り構成される本考案にかかるレスキュー靴１について、次にその使用態様を説明する。図５は、本考案にかかるレスキュー靴１の使用態様を示す要部説明図である。
図面に示すように、踏み抜き防止板３１と刺し抜き防止板３２とが分離されていることで、該踏み抜き防止板３１とは別に刺し抜き防止板３２が自在に遊動可能であるため、歩行や走行を阻害することなく靴としての柔軟性を確保しつつ、靴底２０の踏み抜きを防止すると共に、靴本体１０における踏まず部分の刺し抜きを防止することができる。
【産業上の利用可能性】
【００２７】
本考案にかかるレスキュー靴１は、締結具および靴本体１０の少なくとも表装面１０ａが耐切創性と耐火性を併せ持つ繊維素材により成形されると共に、刺し抜き防止板３２を踏み抜き防止板３１と分離して配したことで、耐切創性と耐火性に優れ且つ靴本来の柔軟性も確保された安全性および機能性を併せ持つ靴を提供することが可能であり、単にレスキュー活動用の靴にとどまらず、運動や登山靴、ワーキングシューズ、ダイバーシューズなどの安全性を求められる分野において幅広く応用・活用する事が可能である。したがって、本考察にかかるレスキュー靴１の産業上の利用可能性は極めて高いものと思料される。
【符号の説明】
【００２８】
１    レスキュー靴
１０    靴本体
１０ａ  表装面
１０ｂ  内装面
２０    靴底
３１    踏み抜き防止板
３２    刺し抜き防止板
３２ａ  板片
【図１】
0003196824.tif 000003
【図２】
0003196824.tif 000004
【図３】
0003196824.tif 000005
【図４】
0003196824.tif 000006
【図５】
0003196824.tif 000007
【図６】
0003196824.tif 000008